(57)【要約】【課題】装置全体が複雑で大型化することを抑制しながらも、用紙の大きさ、厚み、材質等の違いに応じてシート状物に作用する吸引力を微調整することができる印刷用紙のカール除去装置及びカール除去方法を提供する。【解決手段】搬送手段４にて搬送されてきたシート状物１に発生しているカールを除去するためのシート状物のカール除去装置において、シート状物移動方向で対向位置させ、該搬送されてくるシート状物１をそれの表面に接触させて扱くための一対の接触部材７，７と、これら接触部材７，７間に形成される吸引口８を通して該接触部材７，７を通過するシート状物１を該接触部材７，７へ吸着させるための吸引手段Ｐとを備え、前記一対の接触部材７，７のうちの少なくとも一方を他方に対して接近離間させるための接触部材移動手段９を設けた。【選択図】図３
2007290829.tif 000002
【特許請求の範囲】
【請求項１】
搬送手段にて搬送されてきたシート状物に発生しているカールを除去するためのシート状物のカール除去装置において、シート状物移動方向で対向位置させ、該搬送されてくるシート状物をその表面に接触させて扱くための一対の接触部材と、これら接触部材間に形成される吸引口を通して該接触部材を通過するシート状物を該接触部材へ吸着させるための吸引手段とを備え、前記一対の接触部材のうちの少なくとも一方を他方に対して接離可能とするための接触部材移動手段を設けたことを特徴とするシート状物のカール除去装置。
【請求項２】
前記各接触部材がシート状物の搬送幅方向に長い長尺物からなり、前記接触部材移動手段が、該各接触部材を下方から受け止め支持し、前記吸引口の下方に吸引用空間を形成するための一対の支持部材と、前記少なくとも一方の接触部材をシート状物移動方向に強制的に移動させるための強制移動機構と、該強制移動機構にて移動される接触部材を移動案内するためのガイド手段とを備えてなる請求項１に記載のシート状物のカール除去装置。
【請求項３】
前記強制移動機構を、前記支持部材に形成された螺子孔と、該螺子孔に螺合する螺子軸と、該螺子軸を回転操作するために取り付けられた手動ハンドル又は該螺子軸を駆動回転させるための電動モータとから構成してなる請求項２記載のシート状物のカール除去装置。
【請求項４】
前記一対の支持部材を載置支持し、かつ、前記一対の接触部材のシート状物移動方向と直交する両側部を覆って前記吸引用空間を形成するための上方が開放された箱型のケーシングを設けてなる請求項２又は３に記載のシート状物のカール除去装置。
【請求項５】
前記強制移動機構を、前記支持部材にシート状物移動方向で多数の歯が並ぶように取り付けたラックと、該ラックに噛み合って該ラックをシート状物移動方向に移動させるためのピ二オンと、該ピ二オンを回転操作するために取り付けられた手動ハンドル又は該ピ二オンを駆動回転させるための電動モータとから構成してなる請求項２記載のシート状物のカール除去装置。
【請求項６】
搬送手段にて搬送されてきたシート状物に発生しているカールを除去するシート状物のカール除去方法において、シート状物移動方向で対向位置させた一対の接触部材にて、該搬送されてくるシート状物をその表面に接触させて扱くとともに、これら接触部材間に形成される吸引口を通して該接触部材を通過するシート状物を該接触部材へ吸着させながら、シート状物に発生しているカールを除去し、前記一対の接触部材のうちの少なくとも一方を他方に対して接近離間させることにより、シート状物に対する吸引力を変更することを特徴とするシート状物のカール除去方法。
【発明の詳細な説明】
【技術分野】
【０００１】
本発明は、搬送手段にて搬送されてきたシート状物に発生しているカールを除去するためのシート状物のカール除去装置及びカール除去方法に関する。
【背景技術】
【０００２】
一般に、印刷機において印刷工程を経たシート状物である印刷用紙に、印刷面を外側とするカールが発生することがある。このようなカールが発生すると、排紙部における印刷用紙の紙揃えが悪くなる等の支障が生じる。このため、印刷工程を経て順次、排紙される印刷用紙の搬送経路中にカール除去装置を設けている。
【０００３】
上記カール除去装置としては、例えば、特許文献１のものが提案されている。これは、搬送されてきた印刷用紙の用紙面に接触可能に位置する接触擦り部である一対の丸棒を、互いに接触する状態で搬送方向に並べて配置することによって、最長幅の印刷用紙の幅方向長さ以上となる溝長さを有するほぼＶ字状の溝部を形成するとともに、前記各丸棒の接触面に沿って最短幅の印刷用紙の幅長さ以下の長さを有する平坦部を形成することでそれら対向位置する平坦部にて吸引口を形成し、その吸引口を通じてＶ字状の溝部内部の空気が下方へ排気され、移動方向に向けて移動する印刷用紙の用紙面が、接触擦り部に形成されたＶ字状の溝部に吸着されながら通過することによって、カールを除去するカール除去装置を構成している。
又、特許文献２のものも提案されている。これは、搬送チェーンにより搬送されるシート状物の搬送経路の下方側に設けられたプレート部に形成の孔を介して該プレート部にシート状物を吸引するために接続される吸引エア源と、該吸引エア源の吸引力を調整するための吐出エア源と、これら両エア源とプレート部との間にそれぞれ設けたバルブとからカール除去装置を構成している。
【特許文献１】特開平１０−２９７８０９号公報（図４及び図５参照）
【特許文献２】特開２００４−３０７０８２号公報（図３及び図５参照）
【発明の開示】
【発明が解決しようとする課題】
【０００４】
上記特許文献１のカール除去装置は、吸引口をＶ字状の溝部よりも下方でしかも最短幅の印刷用紙の幅長さ以下になるように形成していることから、Ｖ字状の溝部の幅よりも小さい印刷用紙においては、Ｖ字状の溝部を通して吸引口に移動した空気が下方側へ排気されることになる。そして、印刷用紙が小さくなるほどＶ字状の溝部を覆う面積が少なくなり、溝部を通して吸引口に移動した空気の排気量が多くなることから、大きさの異なる印刷用紙であっても、空気圧をその大きさに対応した所定圧にして的確に吸引することができるようにしているものの、吸引口の大きさが同一であるため、印刷用紙の大きさに対する吸引力が吸引口の大きさによってそれぞれの所定圧力に決まってしまう。このため、用紙の大きさ、厚み、材質等の違いに応じて微調整することができず、印刷用紙によってはカール除去が完全に行えなかったり、場合によっては印刷用紙が破れてしまうこともあった。
又、上記特許文献２のカール除去装置は、吸引エア源からの吸引力に対する吐出エア源からの吐出エア供給量をバルブの開度により調整することによって、吸引力自体を調整することができるものの、吸引面積が同一であるため、用紙の大きさ（面積）、厚み、材質等の違いに応じて用紙に作用する吸引力を微調整することができないものであった。しかも、吸引エア源の他に、吐出エア源、バルブ、それらを接続するホース等が必要になり、装置全体が複雑で大型化する不都合もあり、改善の余地があった。
【０００５】
本発明が前述の状況に鑑み、解決しようとするところは、装置全体が複雑で大型化することを抑制しながらも、用紙の大きさ、厚み、材質等の違いに応じてシート状物に作用する吸引力を微調整することができる印刷用紙のカール除去装置及びカール除去方法を提供することを課題とする。
【課題を解決するための手段】
【０００６】
本発明は、前述の課題解決のために、搬送手段にて搬送されてきたシート状物に発生しているカールを除去するためのシート状物のカール除去装置において、シート状物移動方向で対向位置させ、該搬送されてくるシート状物をその表面に接触させて扱くための一対の接触部材と、これら接触部材間に形成される吸引口を通して該接触部材を通過するシート状物を該接触部材へ吸着させるための吸引手段とを備え、前記一対の接触部材のうちの少なくとも一方を他方に対して接離可能とするための接触部材移動手段を設けたことを特徴としている。又、搬送手段にて搬送されてきたシート状物に発生しているカールを除去するシート状物のカール除去方法において、シート状物移動方向で対向位置させた一対の接触部材にて、該搬送されてくるシート状物をその表面に接触させて扱くとともに、これら接触部材間に形成される吸引口を通して該接触部材を通過するシート状物を該接触部材へ吸着させながら、シート状物に発生しているカールを除去し、前記一対の接触部材のうちの少なくとも一方を他方に対して接近離間させることにより、シート状物に対する吸引力を変更することを特徴とするシート状物のカール除去方法であってもよい。
本願発明者は、吸引口の大きさを変更することによって、吸引装置の吸引力を変更しただけでは為し得なかった吸引力の微調整を行うことができることを実験によって確認した。従って、吸引力を弱くしたい場合には、一対の接触部材間の距離が長くなるように少なくとも一方の接触部材を他方の接触部材に対して離間操作して、吸引口を大きくし、又、これとは逆に、吸引力を強くしたい場合には、一対の接触部材間の距離が短くなるように少なくとも一方の接触部材を他方の接触部材に対して接近操作することになる。このように一対の接触部材を接近離間させることによって、シート状部材の大きさ、厚み、材質等に合わせて吸引力を微調整することができる。
【０００７】
前記各接触部材がシート状物の搬送幅方向に長い長尺物からなり、前記接触部材移動手段が、該各接触部材を下方から受け止め支持し、前記吸引口の下方に吸引用空間を形成するための一対の支持部材と、前記少なくとも一方の接触部材をシート状物移動方向に強制的に移動させるための強制移動機構と、該強制移動機構にて移動される接触部材を移動案内するためのガイド手段とを備えていてもよい。
【０００８】
前記強制移動機構を、前記支持部材に形成された螺子孔と、該螺子孔に螺合する螺子軸と、該螺子軸を回転操作するために取り付けられた手動ハンドル又は該螺子軸を駆動回転させるための電動モータとから構成してもよい。
【０００９】
前記一対の支持部材を載置支持し、かつ、前記一対の接触部材のシート状物移動方向と直交する両側部を覆って前記吸引用空間を形成するための上方が開放された箱型のケーシングを設けてもよい。
【００１０】
前記強制移動機構を、前記支持部材にシート状物移動方向で多数の歯が並ぶように取り付けたラックと、該ラックに噛み合って該ラックをシート状物移動方向に移動させるためのピ二オンと、該ピ二オンを回転操作するために取り付けられた手動ハンドル又は該ピ二オンを駆動回転させるための電動モータとから構成してもよい。
【発明の効果】
【００１１】
一対の接触部材を接離可能とする構成にすることによって、シート状部材の大きさ、厚み、材質等に合わせて吸引力を微調整することができるから、シート状部材に適正な吸引力を作用させることができ、どのようなシート状部材であっても、シート状部材が破れてしまうことがなく、カールを確実に除去することができる商品価値の高いシート状物のカール除去装置及びカール除去方法を提供することができる。しかも、吸引力を調整するための吐出装置やバルブ等を設ける構成に比べて、簡素な構成にすることができ、コスト面においても有利になる。
【００１２】
前記各接触部材がシート状部材の搬送幅方向に長い長尺物からなり、前記接触部材移動手段を、該各接触部材を下方から受け止め支持し、前記吸引口の下方に吸引用空間を形成するための一対の支持部材と、前記少なくとも一方の接触部材をシート状物移動方向に強制的に移動させるための強制移動機構と、該強制移動機構にて移動される接触部材を移動案内するためのガイド手段とから構成することによって、接触部材を支持部材にて確実に支持しながらも、強制移動機構にて接触部材を移動させることをガイド手段による案内作用によりスムーズに行わせることができ、耐久性の向上を図ることができる。
【００１３】
前記強制移動機構を、前記支持部材に形成された螺子孔と、該螺子孔に螺合する螺子軸と、該螺子軸を回転操作するために取り付けられた手動ハンドル又は該螺子軸を駆動回転させるための電動モータとから構成した場合には、ピ二オンやラック等を取り付けて構成する場合に比べて、取り付け部品点数の削減化を図ることができるだけでなく、接触部材を移動させるだけの長さを有する螺子軸を設置するだけのスペースで済み、ラックの移動スペースを確保する場合に比べて、装置の大型化を抑制することができる。
【００１４】
前記一対の支持部材を載置支持し、かつ、前記一対の接触部材のシート状物移動方向と直交する両側部を覆って前記吸引用空間を形成するための上方が開放された箱型のケーシングを設けることによって、装置全体の強度アップを図ることができながらも、吸引用空間を形成する部材として兼用することができる。
【００１５】
前記強制移動機構を、前記支持部材にシート状物移動方向で多数の歯が並ぶように取り付けたラックと、該ラックに噛み合って該ラックをシート状物移動方向に移動させるためのピ二オンと、該ピ二オンを回転操作するために取り付けられた手動ハンドル又は該ピ二オンを駆動回転させるための電動モータとから構成することによって、例えば螺子軸により接触部材を螺進させる構成のように、拗れが発生しないように螺子溝と螺子部とを精度よく製作しなければならないものに比べて、製造面において有利になる。
【発明を実施するための最良の形態】
【００１６】
図７に、本発明のカール除去装置Ｋを備えた枚葉印刷機を示している。これは、シート状物の一例である枚葉紙（印刷用紙とも言う）１が圧胴２に送られて印刷されてから、搬送手段を構成する排紙部３のチェーングリッパー４に保持されて矢印Ｈの方向に排紙され、積載部５に積載されることになる。前記積載部５の近傍に設けられているバックガイド６の枚葉紙搬送方向手前側に、前記圧胴２にて折り曲げられてカールされた枚葉紙１を反対方向に吸引力を利用して折り曲げてカールを除去するための前記カール除去装置を配置しているが、カール除去装置の位置はどのような位置に配置してもよい。又、ここでは、枚葉印刷機内にカール除去装置Ｋを組み込んだものを示しているが、カールが発生しているシート状物のカールを除去する単独の装置として構成し、他の装置、例えばカール除去装置を備えていない印刷機に組み込むことができるユニットとして構成してもよい。ここでは、シート状物としては紙製のものが一般的であるが、場合によっては、ブラスチック製のものであってもよい。
【００１７】
前記カール除去装置Ｋは、搬送手段である前記チェーングリッパー４にて保持されて搬送されてきた枚葉紙１に発生しているカールを除去するためのものであり、図１〜図３にも示すように、枚葉紙移動方向に対向位置させ、該搬送されてくる枚葉紙１をその表面に接触させて扱くための一対の接触部材７，７と、これら接触部材７，７間に形成される吸引口８を通して該接触部材７，７を通過する枚葉紙１を該接触部材７，７へ吸着させるための吸引手段としての吸引ポンプＰとを備え、前記一対の接触部材７，７を互いに相対移動させることにより、両者を接離可能とするための接触部材移動手段９を設けている。
【００１８】
前記各接触部材７が枚葉紙搬送幅方向に長く、最大枚葉紙よりも長い寸法に設定された円柱状の長尺物からなり、前記接触部材移動手段９が、該各接触部材７を下方から受け止め支持し、前記吸引口８の下方に吸引用空間１０を形成するための一対の支持部材１１と、前記接触部材７，７を枚葉紙移動方向で互いに相対的に強制移動させるための強制移動機構１２と、該強制移動機構１２にて移動される接触部材７，７を移動案内するためのガイド手段１３とを備えている。ここでは、長尺な一対の接触部材７，７を設けたものを示しているが、短尺な一対の接触部材７，７を設け、それに対して枚葉紙搬送幅方向に一対の第２の接触部材を設けてもよいし、又、複数対（二対以上）の接触部材を枚葉紙搬送幅方向に設けて実施してもよい。この場合、全ての接触部材又は特定の接触部材のみ接近離間移動自在に構成して実施することになる。
【００１９】
図１及び図２に示すように、前記強制移動機構１２を、前記支持部材１１，１１それぞれの枚葉紙搬送幅方向ほぼ中央でかつ上下方向ほぼ中間位置に形成された螺子孔１４と、該螺子孔１４，１４に螺合して枚葉紙移動方向両側に突出する単一の螺子軸１５と、該螺子軸１５を回転操作するために螺子軸１５の一端に取り付けられた手動ハンドル１６とから構成している。ここでは、手動ハンドル１６にて前記螺子軸１５を回転させる構成としているが、電動モータ等のアクチュエータを用いて駆動回転させる構成にしてもよい。前記螺子軸１５の一端を、後述するケーシング１７を構成する枚葉紙搬送方向に位置する一対の縦壁１７Ｂ，１７Ｃのうちの一方の縦壁１７Ｃに形成の貫通孔１７ｇに貫通支持させ、他端を、他方の縦壁１７Ｂに形成の貫通孔１７ｆに貫通支持させている。そして、前記一方の貫通孔１７ｆからケーシング１７外へ螺子軸１５の一端を突出させ、その突出端に前記手動ハンドル１６を取り付けている。
【００２０】
前記一対の支持部材１１，１１を載置支持し、かつ、前記一対の接触部材７，７の枚葉紙移動方向と直交する両側部を覆って前記吸引用空間１０を形成するための上方が開放された箱型のケーシング１７を設けて、装置全体の強度を高めるようにしているが、必ずしも箱型のケーシングでなくてもよい。前記ケーシング１７は、矩形状の底壁１７Ａと、この底壁１７Ａの４辺から上方に立ち上げられた４つの縦壁１７Ｂ，１７Ｃ，１７Ｄ，１７Ｅとからなっているが、底壁が円形や多角形などであってもよい。前記底壁１７Ａに円形（角形や長孔等でもよい）の開口１７Ｋを形成し、この開口１７Ｋにエア排出用のパイプ１９が連結され、このパイプ１９の先端に図示していないホースを介して吸引ポンプＰが接続され、吸引ポンプＰを作動させることによって、図３（ｂ）に示すように、搬送されてきた枚葉紙１を接触部材７，７の上面に吸着するとともに扱くように引き擦ることで、枚葉紙１に発生しているカールを除去することができるようにしている。
【００２１】
前記ガイド手段１３を、前記ケーシング１７を構成する縦壁のうちの枚葉紙移動方向両側に備えさせた縦壁１７Ｂ，１７Ｃの上側の枚葉紙幅方向で所定間隔を置いて３箇所（１箇所又は２箇所あるいは４箇所以上でもよい）に形成された貫通孔１７ｂ，１７ｂ，１７ｂ、１７ｃ，１７ｃ，１７ｃと、該両側の貫通孔１７ｂ，１７ｂ，１７ｂ、１７ｃ，１７ｃ，１７ｃにて貫通支持され、かつ、該貫通孔に対応させて前記支持部材１１，１１に形成している貫通孔１１ａ，１１ａ，１１ａ、１１ａ，１１ａ，１１ａを貫通して該支持部材１１，１１を移動自在に支持するための単一の３つの円柱状の棒状体１８，１８，１８から構成しているが、単一の棒状体でなくてもよいし、図５（ａ），（ｂ）で示す縦壁１７Ｄ，１７Ｅに形成されたコの字状のガイド部材１７ｄ，１７ｅと、これらガイド部材１７ｄ，１７ｅに係合する接触部材７，７の両端から接触部材の長手方向に突設された矩形状の係合突起７Ｔ，７Ｔとから構成してもよいし、ガイド手段１３を省略して実施することもできる。
【００２２】
図２及び図３に示すように、前記螺子軸１５に、前記一対の接触部材７，７を接近離間移動させるために螺子方向が異なる２つの螺子部１５Ａ，１５Ｂを備えてあり、前記手動ハンドル１６をいずれか一方向に回転操作することによって、接触部材７，７を互いに接近するように移動させて吸引口８を小さくすることができ、又、手動ハンドル１６を前記方向とは反対方向に回転操作することによって、接触部材７，７を互いに離間するように移動させて吸引口８を大きくすることができるようになっている。
つまり、吸引力を弱くしたい場合には、一対の接触部材７，７間の距離が長くなるように接触部材７，７を互いに離れるように移動操作して、吸引口を大きくし、又、これとは逆に、吸引力を強くしたい場合には、一対の接触部材７，７間の距離が短くなるように一方の接触部材７，７を互いに接近するように移動操作することになる。このように一対の接触部材を接近離間させることによって、シート状部材の大きさ、厚み、材質等に合わせて吸引力を微調整することができるのである。ここでは、単一の螺子軸１５を示しているが、接触部材７，７をそれぞれ移動操作するために、２本の螺子軸を設けてもよいし、一方の接触部材７のみを移動させるための１本のみの螺子軸を設けて実施することもできる。
【００２３】
図２及び図３に示すように、前記螺子軸１５の長手方向ほぼ中央部に、前記一対の支持部材１１，１１が当接して前記接触部材７，７間に形成される吸引口８の最小面積を設定することができる間隔保持用のリング状のスペーサ１５Ｆを備えさせているが、無くてもよい。又、前記吸引口８を接触部材７，７の全長に渡って形成しているが、例えば図４（ａ），（ｂ），（ｃ）に示すように、各接触部材７の長手方向の中央部分（一部分）に平坦面（フラット面）７Ａを形成し、それら平坦面７Ａ，７Ａが対向位置するように前記支持部材１１，１１の上面に接触部材７，７をそれぞれ取り付けて、接触部材７，７が図４（ｂ），（ｃ）に示すように当接するように該接触部材７，７を移動させることによって、前記接触面７Ａ，７Ａにて形成される開口を吸引口８とすることで、最小幅の枚葉紙１を良好かつ効率よく吸引することができる利点がある。この場合には、最小幅の枚葉紙１の幅寸法Ｌ２よりも吸引口８の幅Ｌ１が小さくなるように設定しているが、同一又はそれよりも少し大きく設定してもよい。前記接触部材７，７を断面形状が円形状のものから構成することによって、図３（ｂ）に示すように、吸引力により接触部材７，７それぞれの円弧面に沿って緩やかに湾曲させてカールを良好に除去することができる利点があるが、円形に近い楕円形状の他、場合によっては三角形状等の多角形状等であってもよい。又、軽量化を図る目的で前記接触部材７を内部が空洞となる筒状に構成してもよい。前記筒状に接触部材を構成する場合には、接触部材にも吸引用の貫通孔を形成して、吸引口８の枚葉紙移動方向両側においても接触部材にて枚葉紙１を吸引するように構成してもよい。
【００２４】
前記強制移動機構１２を、図５（ａ），（ｂ），（ｃ）に示すように構成してもよい。つまり、前記接触部材７，７の下端を固定した前記支持部材１１，１１を板状に構成し、それの上端を逆Ｌ字状に折り曲げてなる水平板部１１Ａ，１１Ａの下面のうちの枚葉紙移動方向と直交する方向の一端側箇所に、シート状物移動方向に多数の歯が並ぶようにラック２０を配設し、該ラック２０の歯２０Ａに噛み合って該ラック２０をシート状物移動方向に移動させるためのピ二オン２１と、該ピ二オン２１を回転操作するための手動ハンドル２２を取り付けている。前記ケーシング１７の枚葉紙移動方向と直交する方向に位置する縦壁１７Ｄ，１７Ｅのうちの一方１７Ｄに該ピ二オン軸２１Ａを貫通させてケーシング外へ突出させ、その突出端に前記手動ハンドル２２を取り付けている。従って、手動ハンドル２２を回転操作操作することによって、ラック２０を枚葉紙移動方向に移動させることで、支持部材１１を一体的に同一方向に移動させて吸引口８の大きさを調整できるようにしている。前記手動ハンドル２２は、前記２つの支持部材１１，１１の両方をそれぞれ移動させるべく、それぞれに設けて実施してもよいが、一方のみ設けてもよいし、又、１つの手動ハンドル２２の回転力を例えばギヤ機構を介して前記２つのピ二オン軸２１Ａ，２１Ａに伝達できるように構成して、１つの手動ハンドル２２のみで２つの支持部材１１，１１を接近離間操作することができるように構成してもよい。前記手動ハンドル２２に代えて、ピ二オン２１を駆動回転させるための電動モータを取り付けて実施してもよい。又、前記ガイド手段１３を、ケーシング１７の縦壁１７Ｄ，１７Ｅに形成されたコの字状のガイド部材１７ｄ，１７ｅと、これらガイド部材１７ｄ，１７ｅに係合する接触部材７，７の両端から接触部材の長手方向に突設された矩形状の係合突起７Ｔ，７Ｔとから構成している。前記支持部材１１，１１の上下方向ほぼ中央部から互いに離間するように折り曲げられたテーパー部１１Ｂ，１１Ｂを備えさせて、開口１７Ｋの大きさに支持部材１１，１１の下端位置を合わせることができるようにしているが、上端から下端まで上下方向に沿った直線部から構成してもよい。又、前記接触移動手段９は、支持部材１１，１１と、前記強制移動機構１２と、前記ガイド手段１３とからなっている。他の説明しなかった部分は、図１〜図３までのものと同一であるため、同一の符号を付すとともに説明は省略する。
【００２５】
又、前記強制移動機構１２を、図６（ａ），（ｂ）に示すように構成してもよい。つまり、前記接触部材７，７をケーシング１７内に配置し、一方の接触部材７の長手方向両端にそれの円の中心から長手方向に突出する軸７Ｂ，７Ｂ（図では一方のみ図示している）を設け、前記軸７Ｂ，７Ｂを、シート状物移動方向で移動自在となるようにケーシングのシート状物移動方向と直交する方向に位置する一対の縦壁１７Ｂ，１７Ｃに形成の長孔１７Ｓに貫通させ、前記長孔１７Ｓから突出させた一方の軸７Ｂの突出端に貫通固定したブラケット２３の下端に、螺子孔２４Ａが形成された可動部材２４を固定し、前記可動部材２４の螺子孔２４Ａに螺合する螺子部材２５の一端に該螺子部材２５を回転操作するための取っ手２６を備えさせている。従って、取っ手２６を例えば矢印で示す方向又はその方向とは反対方向に操作して螺子部材２５を正逆転させることによって、可動部材２４をシート状物移動方向で移動させることで、一方の固定側の接触部材７に対して他方の可動側の接触部材７を接近させたり離間させて、吸引口の大きさを調整することができるようにしている。前記２つの接触部材７，７の両方を接近離間移動させる構成としてもよい。この場合、図１〜図３と同様に、異なる方向の螺子部が形成された螺子軸を設けることによって、２つの接触部材７，７を同時に接近離間移動させるように構成してもよい。前記ケーシング１７の縦壁１７Ｂ，１７Ｃに形成したシート状物移動方向に長い長孔１７Ｓを塞ぐためのシール部材やカバー等を設けて実施してもよい。又、電動モータ等のアクチュエータの力を利用して接触部材７，７を移動させるように構成してもよい。図６（ａ），（ｂ）に示すように構成することによって、接触部材７，７を移動自在に収容できる大きさのケーシング１７に構成すればよいため、図１〜図５で示したケーシング１７に比べて小さくすることができる利点がある。又、前記ケーシング１７を、矩形状の底壁１７Ａと、その底壁１７Ａの４辺から上方に立ち上げられた４つの矩形状の縦壁１７Ｂ，１７Ｃ，１７Ｄ，１７Ｅとから構成したが、ケーシング１７の形状や具体的構成は自由に変更できる。又、前記長孔１７Ｓを縦壁１７Ｂ，１７Ｃに形成せずに、縦壁１７Ｂ，１７Ｃの上端を乗り越えてケーシング１７外に位置させる支持ブラケット等を用いて実施することもできる。
【図面の簡単な説明】
【００２６】
【図１】カール除去装置の分解斜視図である。
【図２】カール除去装置の平面図である。
【図３】（ａ）はカール除去装置の縦断側面図、（ｂ）は接触部材の縦断側面図である。
【図４】（ａ）は別の接触部材の正面図、（ｂ）は（ａ）の接触部材をシート状物移動方向に併設した縦断側面図、（ｃ）は（ｂ）の一対の接触部材を上から見た平面図である。
【図５】（ａ）は第２のカール除去装置を示す縦断側面図、（ｂ）は第２のカール除去装置の要部を示す縦断正面図、（ｃ）はガイド手段の要部を示す斜視図である。
【図６】（ａ）は第３のカール除去装置を示す一部を断面にした側面図、（ｂ）は第３のカール除去装置を示す一部省略した正面図である。
【図７】枚葉印刷機の概略側面図である。
【符号の説明】
【００２７】
１  枚葉紙
２  圧胴
３  排紙部
４  チェーングリッパー（搬送手段）
５  積載部
６  バックガイド
７  接触部材
７Ａ  平坦面
８  吸引口
９  接触移動手段
１０  吸引用空間
１１  支持部材
１１Ａ  水平板部
１１Ｂ  テーパー部
１２  強制移動機構
１３  ガイド手段
１４  螺子孔
１５  螺子軸
１５Ａ，１５Ｂ  螺子部
１６  手動ハンドル
１７  ケーシング
１７Ａ〜１７Ｅ  壁
１７ｂ，１７ｃ  貫通孔
１７ｄ，１７ｅ  ガイド部材
１７Ｋ  開口
１７Ｓ  長孔
１８  棒状体
１９  パイプ
２０  ラック
２１  ピ二オン
２１Ａ  ピ二オン軸
２２  手動ハンドル
２３  ブラケット
２４  可動部材
２４Ａ  螺子孔
２５  螺子部材
２６  取っ手
Ｋ  カール除去装置
Ｐ  吸引ポンプ（吸引手段）
【図１】
2007290829.tif 000003
【図２】
2007290829.tif 000004
【図３】
2007290829.tif 000005
【図４】
2007290829.tif 000006
【図５】
2007290829.tif 000007
【図６】
2007290829.tif 000008
【図７】
2007290829.tif 000009